(57)【特許請求の範囲】
【請求項１】
長手方向および幅方向に傾斜した選別台と、該選別台を幅方向に振動する加振手段を有す、ボトル状プラスチックの選別装置であって、
選別台が、その長手方向の傾斜の高い側に配置された、ボトル状プラスチックを含む廃棄プラスチックを受け入れる受入部と、
その長手方向の傾斜の低い側で幅方向の傾斜の低い側に配置された、選別されたボトル状プラスチックを排出するボトル状プラスチック排出部と、
その長手方向の傾斜の低い側で幅方向の傾斜の高い側に配置された、選別されたボトル状プラスチック以外の廃棄プラスチックを排出する非ボトル状プラスチック排出部とを有すことを特徴とするボトル状プラスチックの選別装置。
【請求項２】
請求項１記載のボトル状プラスチックの選別装置において、
ボトル状プラスチックを含む廃棄プラスチックを、前記選別台に投入する工程と、
前記選別台を振動することにより、前記投入された廃棄プラスチックを、ボトル状プラスチックおよび非ボトル状プラスチックに選別する工程と、
前記選別されたボトル状プラスチックを、前記ボトル状プラスチック回収部において回収する工程と、
前記選別された非ボトル状プラスチックを、前記非ボトル状プラスチック回収部において回収する工程とを有すボトル状プラスチックの選別方法。
【請求項３】
ボトル状プラスチックを含む廃棄プラスチックを前記選別台へ投入する工程と、前記ボトル状プラスチックを回収する工程と、前記非ボトル状プラスチックを回収する工程が、並行することを特徴とする請求項２記載のボトル状プラスチックの選別方法。
【発明の詳細な説明】
【０００１】
【発明の属する技術分野】
この発明は、プラスチック廃棄物、特に、ボトル状プラスチックを含むプラスチック廃棄物（以下、混合廃棄物と称す）から該ボトル状プラスチックを選別するのに好適な、ボトル状プラスチックの選別方法および選別装置に関する。
【０００２】
【従来の技術】
容器または包装容器として使用されるプラスチック類は、リサイクル用途に応じて選別される必要がある。例えば、ボトル状の物と非ボトル状の物（例えば、不定形の物）、あるいは、ＰＥＴボトルと非ＰＥＴボトル（例えば、塩素分を含む物）などの選別である。このため、従来、
▲１▼プラスチック廃棄物が発生した時点（廃棄される時点に同じ）あるいは、混合廃棄物を収集する時点で、あらかじめ選別され、該選別された状態で排出されたものを、選別して収集してリサイクル処理施設に搬入されること、あるいは、
▲２▼混合廃棄物のままリサイクル処理施設に搬入され、該混合廃棄物の中からボトル類を手作業にて取り出すことが行われていた。
【０００３】
【発明が解決しようとする課題】
しかしながら、従来技術においては、以下のような問題があった。すなわち、
▲１▼選別収集が徹底しない場合、リサイクル処理施設におけるトラブルの原因になる。例えば、非ボトル類の投入口にボトル類が引っかかり、以降の非ボトル類の投入が停止すること等が発生する。
▲２▼また、リサイクル品の品質不良の原因になる。
▲３▼手作業の場合、選別精度に個人差が生じ、上記▲１▼および▲２▼と同じ問題が発生する。
▲４▼また、処理量の変動ないし増大に対する対応に限界があり、選別のコストアップおよび選別能力上限の原因になる。
【０００４】
この発明は、以上の問題を解決するためになされたもので、人手に頼ることなく、連続して精度のよい選別が可能な、ボトル状プラスチックの選別方法および選別装置を提供することを目的とする。
【０００５】
【課題を解決するための手段】
上記の課題を解決するための本発明のボトル状プラスチックの選別装置は、以下のとおりである。
［１］  長手方向および幅方向に傾斜した選別台と、該選別台を幅方向に振動する加振手段を有す、ボトル状プラスチックの選別装置であって、
選別台が、その長手方向の傾斜の高い側に配置された、ボトル状プラスチックを含む廃棄プラスチックを受け入れる受入部と、
その長手方向の傾斜の低い側で幅方向の傾斜の低い側に配置された、選別されたボトル状プラスチックを排出するボトル状プラスチック排出部と、
その長手方向の傾斜の低い側で幅方向の傾斜の高い側に配置された、選別されたボトル状プラスチック以外の廃棄プラスチックを排出する非ボトル状プラスチック排出部とを有すことを特徴とするするものである。
【０００６】
さらに、本発明のボトル状プラスチックの選別方法は、以下のとおりである。
［２］前記［１］記載の選別装置において、
ボトル状プラスチックを含む廃棄プラスチックを前記選別台へ投入する工程と、
前記ボトル状プラスチックを回収する工程と、
前記ボトル状プラスチックを除く前記廃棄プラスチックを回収する工程が、略並行して継続することを特徴とするものである。
【０００７】
［３］  前記［２］記載の選別方法において、ボトル状プラスチックを含む廃棄プラスチックを前記選別台へ投入する工程と、前記ボトル状プラスチックを回収する工程と、前記非ボトル状プラスチックを回収する工程が、並行することを特徴とするものである。
【０００８】
【発明の実施の形態】
［実施の形態１］
図１は本発明に係るボトル状プラスチックの選別方法における選別状況を模式的に説明する斜視図である。図１において、幅方向（図中、Ｙ方向）および長手方向（図中、Ｘ方向）に傾斜した選別台１からなる振動選別装置において、該選別台１は略幅方向（略Ｙ方向）に振動する。
【０００９】
そして、前記選別台１の長手方向（Ｘ方向）の傾斜の高い方向（以下、上方と称す）の端部寄りの範囲（以下、長手方向の上部と称す）に選別対象であるボトル状プラスチックを含む廃棄プラスチック（以下、混合廃棄物と称す）の受入部が配置され、該廃棄プラスチックの受入部に対応して投入部２が設置されている。
【００１０】
一方、前記選別台１の長手方向（Ｘ方向）の傾斜の低い方向（以下、下方と称す）の端部寄りの範囲（以下、長手方向の下部と称す）で、幅方向（Ｙ方向）の傾斜の低い側（以下、下方と称す）の端部寄りの範囲（以下、幅方向の下部と称す）にボトル状プラスチック排出部が配置され、該ボトル状プラスチック排出部に対応してボトル状プラスチック回収部３が設置されている。
【００１１】
また、前記選別台１の長手方向の下部で、幅方向（Ｙ方向）の傾斜の高い側（以下、上方と称す）の端部寄りの範囲（以下、幅方向の上部と称す）に非ボトル状プラスチック排出部が配置され、該非ボトル状プラスチック排出部に対応して非ボトル状プラスチック回収部４が設置されている。
【００１２】
また、選別台１の裏面の下には、選別台１を幅方向に振動する加振手段５が設置されている。
【００１３】
したがって、混合廃棄物を、前記等投入部２から前記選別台１に投入すると、混合廃棄物の内ボトル状プラスチックは、表面の摩擦係数が小さいため、Ｙ方向に振動している選別台１による搬送力が小さく、Ｙ方向上方に搬送されないで、該選別台１をＹ方向下方に滑り落ちまたは転がり落ちる。
【００１４】
一方、表面の摩擦係数が大きく、転がり難いい、トレーやカップ等のボトル状でないプラスチック類（以下、非ボトル状プラスチックと称す）は、振動による搬送力により前記傾斜１をＹ方向上方に向けて登ることになる。
【００１５】
さらに、前記選別台１はＸ方向にも傾斜しているから、前記Ｙ方向の移動と共に、Ｘ方向下方に向けて搬送され、やがて、ボトル状プラスチックは前記ボトル状プラスチック回収部３に、一方、非ボトル状プラスチックは前記非ボトル状プラスチック回収部４に到達する。
【００１６】
なお、前記混合廃棄物の投入と、ボトル状プラスチックの排出および非ボトル状プラスチックの排出は、別個に実施しても、同時に並行して実施てもよい。すなわち、バッチ処理と連続処理の両方が可能である。
【００１７】
【発明の効果】
以上述べた本発明のボトル状プラスチックの選別方法および選別装置によれば、従来の振動選別機を用いて、人手に頼らない選別が可能になるため、選別精度が安定し、しかも、処理量の変動ないし増大に容易に対応することができるとの顕著な効果が得られる。
【図面の簡単な説明】
【図１】本発明に係るボトル状プラスチックの選別方法における選別状況を模式的に説明する斜視図である。
【符号の説明】
１  選別台
２  投入部
３  ボトル状プラスチック回収部
４  非ボトル状プラスチック回収部
【図１】
0003649149.tif 000002